(57)【要約】【課題】スタイラスの交換時期を適正に知らせることができる表面性状測定機を提供する。【解決手段】操作キー５１〜５８によって入力されたしきい値を記憶するしきい値記憶部６４と、スタイラス３３のトレース方向の移動距離を検出するスタイラス移動距離検出器３６と、このスタイラス移動距離検出器によって検出されたスタイラスの移動距離を累積記憶する累積移動距離記憶部６５と、しきい値記憶部６４に記憶されたしきい値と累積移動距離記憶部６５に記憶された累積移動距離とを比較し、累積移動距離がしきい値を超えたときにスタイラスの交換を表示器４１に表示する報知手段（制御手段７０）とを備える。【選択図】図２
2011169616.tif 000002
【特許請求の範囲】
【請求項１】
スタイラスを被測定物の表面に接触させ、この状態において前記スタイラスを被測定物の表面に沿ってトレースしながら、そのトレース方向に対して交差する方向の前記スタイラスの変位を検出し、このスタイラスの変位量から被測定物の表面性状を測定する表面性状測定機において、
入力手段と、
この入力手段によって入力されたしきい値を記憶するしきい値記憶部と、
前記スタイラスのトレース方向の移動距離を検出するスタイラス移動距離検出手段と、
このスタイラス移動距離検出手段によって検出された前記スタイラスの移動距離を累積記憶する累積移動距離記憶部と、
前記しきい値記憶部に記憶されたしきい値と前記累積移動距離記憶部に記憶された累積移動距離とを比較し、前記累積移動距離が前記しきい値を超えたときに前記スタイラスの交換を報知する報知手段と、
を備えたことを特徴とする表面性状測定機。  
【請求項２】
請求項１に記載の表面性状測定機において、
被測定物の異なる材質に対応してしきい値を記憶した材質別しきい値記憶部と、
前記入力手段によって入力された材質に対応するしきい値を前記材質別しきい値記憶部の中から読み出し、前記しきい値記憶部に設定するしきい値書込手段と、
を備えることを特徴とする表面性状測定機。
【請求項３】
請求項１または請求項２に記載の表面性状測定機において、
測定結果を表示する表示部を備えるとともに、
前記報知手段は、前記しきい値記憶部に記憶されたしきい値と前記累積移動距離記憶部に記憶された累積移動距離とを比較し、前記累積移動距離が前記しきい値を超えたときに、前記表示部にスタイラスの交換を通知する交換通知情報を表示する、
ことを特徴とする表面性状測定機。
【発明の詳細な説明】
【技術分野】
【０００１】
本発明は、表面性状測定機に関する。詳しくは、スタイラスの交換時期を知らせることができる表面性状測定機に関する。
【背景技術】
【０００２】
被測定物の表面粗さや表面形状などの表面性状を測定する表面性状測定機が知られている（例えば、特許文献１など）。
これは、スタイラスを被測定物の表面に接触させ、この状態においてスタイラスを被測定物の表面に沿ってトレースさせると、被測定物の表面性状に応じて、スタイラスがトレース方向に対して交差（直交）する方向へ変位するから、このスタイラスの変位量から被測定物の表面性状を測定することができる。
【先行技術文献】
【特許文献】
【０００３】
【特許文献１】実公平４−２４４０８号公報
【発明の概要】
【発明が解決しようとする課題】
【０００４】
一般に表面性状測定機では、スタイラスが被測定物の表面に接触した状態でスタイラスが被測定物の表面に沿ってトレースするため、スタイラスの先端が摩耗しやすい。スタイラスの先端が摩耗したままで測定を行うと、表面性状、とりわけ、表面粗さを正確に測定することができない。
そこで、測定回数や校正日からの経過日数でスタイラスを交換することが考えられる。しかし、測定回数の場合、測定条件の違いにより測定長さが極端に異なるため、同じ測定回数でもスタイラスの摩耗量が異なる。また、校正日からの経過日数の場合、つまり、定期的交換の場合、測定回数も異なることから、スタイラスの摩耗度合いも異なる。従って、スタイラスを適正な時期で交換するのは容易でない。
【０００５】
本発明の目的は、スタイラスの交換時期を適正に知らせることができる表面性状測定機を提供することにある。
【課題を解決するための手段】
【０００６】
本発明の表面性状測定機は、スタイラスを被測定物の表面に接触させ、この状態において前記スタイラスを被測定物の表面に沿ってトレースしながら、そのトレース方向に対して交差する方向の前記スタイラスの変位を検出し、このスタイラスの変位量から被測定物の表面性状を測定する表面性状測定機において、入力手段と、この入力手段によって入力されたしきい値を記憶するしきい値記憶部と、前記スタイラスのトレース方向の移動距離を検出するスタイラス移動距離検出手段と、このスタイラス移動距離検出手段によって検出された前記スタイラスの移動距離を累積記憶する累積移動距離記憶部と、前記しきい値記憶部に記憶されたしきい値と前記累積移動距離記憶部に記憶された累積移動距離とを比較し、前記累積移動距離が前記しきい値を超えたときに前記スタイラスの交換を報知する報知手段と、を備えたことを特徴とする。
【０００７】
このような構成によれば、しきい値記憶部に記憶されたしきい値と累積移動距離記憶部に記憶された累積移動距離とを比較し、累積移動距離がしきい値を超えたときにスタイラスの交換を報知するようにしたので、スタイラスの交換時期を適正に知らせることができる。
つまり、スタイラスが被測定物の表面に接触した状態で移動した累積移動距離と、スタイラスの摩耗量とは比例する関係にあるから、累積移動距離を基準に交換時期を報知すれば、スタイラスの交換時期を適正に知らせることができる。
なお、「報知」とは、スタイラスの交換を促すメッセージやアイコンを表示部に表示するほか、ブザーを鳴らしてスタイラスの交換を通知する方法、あるいは、スタイラス交換ランプを点灯、点滅させる方法なども含む意味である。
【０００８】
本発明の表面性状測定機において、被測定物の異なる材質に対応してしきい値を記憶した材質別しきい値記憶部と、前記入力手段によって入力された材質に対応するしきい値を前記材質別しきい値記憶部の中から読み出し、前記しきい値記憶部に設定するしきい値書込手段と、を備えることが好ましい。
一般的に、スタイラスの摩耗度合いは、被測定物の材質の違いなどによっても異なる。
本発明では、予め、材質別しきい値記憶部に被測定物の異なる材質に対応してしきい値を記憶させたので、入力手段によって被測定物の材質が入力されると、入力された材質に対応するしきい値が材質別しきい値記憶部の中から読み出され、しきい値記憶部に設定される。従って、測定者が被測定物の材質毎に最適なしきい値を選んで入力しなくても、被測定物の材質を入力するだけで、最適なしきい値を設定することができる。
【０００９】
本発明の表面性状測定機において、測定結果を表示する表示部を備えるとともに、前記報知手段は、前記しきい値記憶部に記憶されたしきい値と前記累積移動距離記憶部に記憶された累積移動距離とを比較し、前記累積移動距離が前記しきい値を超えたときに、前記表示部にスタイラスの交換を通知する交換通知情報を表示する、ことが好ましい。
このような構成によれば、しきい値記憶部に記憶されたしきい値と累積移動距離記憶部に記憶された累積移動距離とが比較され、累積移動距離がしきい値を超えたときに、表示部にスタイラスの交換が通知されるから、測定者は、表示部の表示を見て、スタイラスの交換を知ることができる。
【図面の簡単な説明】
【００１０】
【図１】本実施形態に係る表面性状測定機を示す斜視図。
【図２】同上実施形態の内部構造を示す概略図。
【図３】同上実施形態において、演算表示部のカバースライド状態の斜視図。
【図４】同上実施形態において、記憶装置を説明するための図。
【図５】同上実施形態において、しきい値入力画面を示す図。
【図６】同上実施形態において、しきい値入力画面の他の例を示す図。
【図７】同上実施形態において、累積移動距離としきい値との表示画面を示す図。
【図８】同上実施形態において、累積移動距離がしきい値を超えたときの表示画面を示す図。
【発明を実施するための形態】
【００１１】
本発明の一実施形態に係る表面性状測定機を図面に基づいて説明する。
＜表面性状測定機の構成＞
図１はハンディタイプの表面性状測定機の外観を示す斜視図、図２は同測定機の内部機構を示す図である。
これらの図に示すように、本実施形態の表面性状測定機１は、大きく分けて、駆動検出部２と、この駆動検出部２を収納可能な演算表示部３とから構成されている。
【００１２】
駆動検出部２は、詳細を図２に示すように、検出部ケース１０と、この検出部ケース１０内に設けられた駆動手段２０と、この駆動手段２０によって測定方向に沿って直線移動される検出器３０とを含んで構成されている。
駆動手段２０は、検出部ケース１０に固定された駆動源としてのモータ２１と、このモータ２１に連結されるとともに検出部ケース１０内に検出器３０の移動方向に沿って平行に配置された送りねじ軸２２と、この送りねじ軸２２に螺合されたナット部材２３と、このナット部材２３に連結され検出器３０を着脱可能に保持した保持部材２４とを含んで構成されている。
【００１３】
検出器３０は、駆動手段２０の保持部材２４に着脱可能に保持された検出器本体３１と、この検出器本体３１の先端に揺動可能に支持されたスタイラスアーム３２と、このスタイラスアーム３２の先端に着脱可能に取り付けられスタイラスアーム３２の軸線に対して直角に突設されたスタイラス３３を有するスタイラスチップ３５と、検出器本体３１においてスタイラスアーム３２の基端の揺動量を検出する検出素子３４とを備える。
【００１４】
スタイラス３３が被測定物の表面に沿って移動していくと、被測定物の表面性状、ここでは、表面粗さによってスタイラス３３が上下動される。すると、スタイラス３３の上下動が検出素子３４によって検出信号として検出され、この上下動に伴う検出信号とスタイラス３３のトレース方向の移動距離（図２中左右方向の距離）とから被測定物の表面粗さが測定される。
ここで、スタイラス３３のトレース方向の移動距離については、スタイラス移動距離検出手段としてのスタイラス移動距離検出器３６によって検出されている。スタイラス移動距離検出器３６は、例えば、駆動手段２０において、送りねじ軸２２の回転量からスタイラス３３のトレース方向の移動距離を検出できる構造である。
【００１５】
演算表示部３は、図３にも示すように、駆動検出部２を上方から収納できる大きさの収納ケース４０を有する。
収納ケース４０は、幅寸法が片手で掴める大きさの直方体形状で、下面が駆動検出部２を収納するために開放されている。収納ケース４０の上面には、前半側に表示部としての液晶表示器４１と、電源キー４２、測定開始キー４３および頁キー４４などの主操作キーとが配列されているとともに、後半側にカバー４５が前後方向へスライド可能に装着されている。
カバー４５の真下には、十字状の４つの操作キー５３〜５６と、四隅の４つの操作キー５１，５２，５７，５８とを有する入力手段としての補助操作キーが配置されている。これらの操作キー５１〜５８には、測定条件の設定や測定結果の表示切替など指令する複数種の機能が割り付けられている。
【００１６】
収納ケース４０の内部には、図２に示すように、記憶装置６０のほかに、この記憶装置６０、電源キー４２、測定開始キー４３、頁キー４４、操作キー５１〜５８、表示器４１および駆動検出部２と接続された制御手段７０が内蔵されている。
記憶装置６０には、測定条件などを記憶した測定条件記憶部６１、測定結果などを記憶する測定結果記憶部６２のほかに、しきい値記憶部６４、累積移動距離記憶部６５および材質別しきい値記憶部６６などが設けられている。
しきい値記憶部６４には、図４（Ａ）に示すように、スタイラス３３の累積移動距離がスタイラス交換距離に達したか否かを判定する基準値としてのしきい値が記憶されている。
累積移動距離記憶部６５には、図４（Ｂ）に示すように、スタイラス移動距離検出器３６によって検出される移動距離の累積移動距離が記憶される。
材質別しきい値記憶部６６には、図４（Ｃ）に示すように、被測定物の異なる材質（例えば、アルミ、ステンレス、鉄…）に対応して最適なしきい値（Ｌ１，Ｌ２，Ｌ３…）が記憶されている。
【００１７】
制御手段７０は、測定開始キー４３が操作されると、予め設定された測定条件に従って、駆動手段２０を駆動させるとともに、この駆動手段２０によって移動される検出器３０からの検出信号を表面性状測定信号として取り込み、測定結果記憶部６２に格納する処理などを行う。
また、入力手段としての操作キー５１〜５８によってしきい値が入力されると、入力されたしきい値をしきい値記憶部６４に書き込む処理を行うとともに、操作キー５１〜５８によって被測定物の材質が入力されると、その入力された材質に対応するしきい値を材質別しきい値記憶部６６の中から読み出し、しきい値記憶部６４に書き込むしきい値書込手段を兼ねている。
さらに、しきい値記憶部６４に記憶されたしきい値と累積移動距離記憶部６５に記憶された累積移動距離とを比較し、累積移動距離がしきい値を超えたときにスタイラス３３の交換を報知、具体的には、表示器４１にスタイラス３３の交換を通知する交換通知情報を表示する報知手段を兼ねている。
【００１８】
＜表面性状測定機の作用・効果＞
測定にあたって、最初に、スタイラス交換のためのしきい値を設定しておく。
これには、例えば、図５に示すしきい値設定画面を表示させた状態において、操作キー５５，５８を操作して、しきい値を所望の値に設定する。すると、設定されたしきい値がしきい値記憶部６４に記憶される。
あるいは、図６に示すしきい値設定画面を表示させた状態において、操作キー５５，５８を操作して、被測定物の材質を選択する。すると、その選択された材質に対応するしきい値が材質別しきい値記憶部６６の中から読み出され、しきい値記憶部６４に設定される。
【００１９】
このようにして、しきい値をしきい値記憶部６４に設定したのち、スタイラス３３を被測定物の表面に接触させた状態において、測定開始キー４３を押すと、制御手段７０は、駆動手段２０を駆動させる。駆動手段２０が駆動すると、スタイラス３３が被測定物の表面に接触したまま移動されるから、被測定物の表面性状に応じてスタイラス３３が変位される。すると、検出素子３４によって検出されたスタイラス３３の表面性状信号と、スタイラス移動距離検出器３６からのスタイラス移動距離信号とが制御手段７０に取り込まれ、測定結果記憶部６２に記憶されるとともに、スタイラス移動距離信号が累積移動距離記憶部６５に累積記憶される。
測定が完了すると、制御手段７０は、取り込んだスタイラス移動距離信号と表面性状信号を演算処理し、その演算結果を表示器４１に表示する。
【００２０】
任意時に、表示器４１の画面をスタイラスアラーム画面に切り替えると、累積移動距離記憶部６５に記憶された累積移動距離と、しきい値記憶部６４に記憶されたしきい値とが、図７に示すように表示される。従って、この表示から、累積移動距離がしきい値に達するか否かを確認することができる。
測定を行っていく過程において、累積移動距離がしきい値を超えると、スタイラス３３の交換が報知される。つまり、図８に示すように、表示器４１には、累積移動距離がしきい値を超えた旨のスタイラスアラームメッセージ、ここでは、「累積移動距離が超えました。」とのスタイラスアラームメッセージ４１Ａが表示されるとともに、スタイラス３３の交換を通知するスタイラスアラームアイコン４１Ｂが表示される。なお、「累積移動距離が超えました。」とのスタイラスアラームメッセージ４１Ａは数秒後に自動的に消えるが、スタイラスアラームアイコン４１Ｂはステータスバーに表示されたままである。
【００２１】
従って、測定者は、この表示を見て、スタイラス３３の交換時期がきたことを確認できるから、スタイラス３３の交換を行う。つまり、スタイラスアーム３２に対してスタイラス３３を有するスタイラスチップ３５を交換する。
スタイラス３３の交換後、累積移動距離（累積移動距離記憶部６５）をクリアすると、スタイラスアラームアイコン４１Ｂが消える。
【００２２】
従って、本実施形態によれば、しきい値記憶部６４に記憶されたしきい値と累積移動距離記憶部６５に記憶された累積移動距離とを比較し、累積移動距離がしきい値を超えたときにスタイラス３３の交換を報知するようにしたので、スタイラス３３の交換時期を適正に知らせることができる。
また、予め、材質別しきい値記憶部６６に被測定物の異なる材質に対応してしきい値を記憶させたので、操作キー５１〜５８などによって被測定物の材質が入力されると、入力された材質に対応するしきい値が材質別しきい値記憶部６６の中から読み出され、しきい値記憶部６４に設定される。従って、被測定物の材質毎に最適なしきい値を入力しなくても、被測定物の材質を入力するだけで、最適なしきい値を設定することができる。
【００２３】
＜変形例＞
本発明は、前述の実施形態に限定されるものでなく、本発明の目的を達成できる範囲での変形、改良などは本発明に含まれる。
前記実施形態では、累積移動距離がしきい値を超えたときにスタイラス３３の交換を促すスタイラスアラームメッセージ４１Ａや、スタイラスアラームアイコン４１Ｂを表示器４１に表示するようにしたが、これに限られない。
例えば、ブザーを鳴らしてスタイラス３３の交換を通知する方法、あるいは、スタイラス交換ランプを点灯、点滅させる方法などでもよい。
【００２４】
前記実施形態では、測定開始キー４３が押されたことを条件として、スタイラス移動距離検出器３６からの信号を取り込んで、スタイラス３３の移動距離を累積記憶するようにしたが、測定開始キー４３が押されたことに加え、検出素子３４によって検出されたスタイラス３３の表面性状信号が入力されたこと（つまり、スタイラス３３が被測定物の接触していること）を条件として、スタイラス移動距離検出器３６からの信号を取り込んで、スタイラス３３の移動距離を累積記憶するようにすれば、スタイラス３３の摩耗量をより正確に検出できる。
【００２５】
また、駆動手段２０については、モータ２１と、送りねじ軸２２と、ナット部材２３と、保持部材２４とで構成したが、これに限られない。駆動源としてエアーまたは油圧シリンダを用い、このシリンダによって検出器を直線移動させるようにしてもよい。
【産業上の利用可能性】
【００２６】
本発明は、粗さ測定機や形状測定機などの表面性状測定機などに利用できる。
【符号の説明】
【００２７】
１…表面性状測定機、
３３…スタイラス、
３６…スタイラス移動距離検出器（スタイラス移動距離検出手段）
４１…液晶表示器（表示部）、
５１〜５８…操作キー（入力手段）
６４…しきい値記憶部、
６５…累積移動距離記憶部、
６６…材質別しきい値記憶部、
７０…制御手段（報知手段、しきい値書込手段）。
【図１】
2011169616.tif 000003
【図２】
2011169616.tif 000004
【図３】
2011169616.tif 000005
【図４】
2011169616.tif 000006
【図５】
2011169616.tif 000007
【図６】
2011169616.tif 000008
【図７】
2011169616.tif 000009
【図８】
2011169616.tif 000010